(57)【特許請求の範囲】
【請求項１】
武術トレーニング装置であって、
ａ．第１のマットであって、前記第１のマットを通る開口を有する第１のマットと、
ｂ．第２のマットであって前記第２のマットを通る開口を有する第２のマットと、
ｃ．前記第１のマットと前記第２のマットは各々、反対側の第１と第２の端部を有し、前記第１のマットと前記第２のマットは、前記第１のマットの前記第２の端部と前記第２のマットの前記第２の端部とが離間する、開位置と前記第１のマットの前記第２の端部と前記第２のマットの前記第２の端部とが互いに近接する、閉位置との間での移動のために、それらの各々の前記第１の端部で、互いにヒンジ結合され、前記閉位置においては前記第１および第２のマットを通る前記開口部が整列され、
ｄ．前記第１および第２のマットの各々を通る開口に整列し、開口を塞ぐように、前記閉位置において前記第１のマットと前記第２のマットとの間に取り付けられるターゲットと、
を備える、武術トレーニング装置。
【請求項２】
前記マットが、多密度フォームから成る、請求項１に記載の武術トレーニング装置。
【請求項３】
前記マットが、滑り止めビニールによって覆われた外面を有する、請求項１に記載の武術トレーニング装置。
【請求項４】
前記マットが、前記ターゲットを適所に保持するように前記ターゲットに係合する内側対向面を有し、前記内側対向面は、滑り止め低密度フォームによって覆われる、請求項１に記載の武術トレーニング装置。
【請求項５】
前記第１のマットが、少なくとも１つの歯を備えた内部表面を有し、前記第２のマットが、前記第１のマット上の前記歯に対応する少なくとも１つの溝を画定する内部表面を有し、前記第１および第２のマットが閉位置にある場合に、前記第１のマットと第２のマットとの間に配置される前記ターゲットが、これを適所に保持するように歯（または２つ以上の場合は複数の歯）と溝（複数の溝）との間に把持される、請求項１に記載の武術トレーニング装置。
【請求項６】
前記ターゲットが、貫通可能な材料である、請求項１に記載の武術トレーニング装置。
【請求項７】
前記ターゲットが、ロール紙、一枚の紙、カードストック紙、または普通の屑紙のうちの１つである、請求項６に記載の武術トレーニング装置。
【請求項８】
前記ターゲットが紙であり、前記第１および第２のマットが、閉位置にある場合に、各々対向する内部表面を有し、前記第１および第２のマットが閉位置にある場合に、該第１および第２のマットの前記内部表面の間に紙を連続的に供給するために前記第１および第２のマットの少なくとも１つに固定される紙スクロールをさらに備える、請求項１に記載の武術トレーニング装置。
【請求項９】
前記ターゲットが、貫通できない弾性材料である、請求項１に記載の武術トレーニング装置。
【請求項１０】
前記第１および第２のマットを前記閉位置に固定するための少なくとも１つのラッチをさらに含む、請求項１に記載の武術トレーニング装置。
【請求項１１】
前記第１および第２のマットを前記閉位置に固定するために、前記第２のマットのヒンジ結合された第１の側を除いては、前記第２のマットの両側に少なくとも１つのラッチをさらに含む、請求項１に記載の武術トレーニング装置。
【請求項１２】
前記第１および第２のマットの１つは打撃面を有し、前記第１および第２のマットの前記開口部以外の異なるサイズおよび／または形状の開口部を有する追加マットと、前記追加マットを前記第１または第２のマットのいずれかの前記打撃面に固定するための手段とをさらに含む、請求項１に記載の武術トレーニング装置。
【請求項１３】
前記第１または第２のマットが、ペグを係合させるために前記マットの前面または打撃面にいくつかの凹部を含み、前記第１および第２のマットの前記開口部以外の異なるサイズおよび／または形状の開口部を有する追加マットをさらに含み、前記追加マットが前記第１または第２のマットに取り付けられるように構成されるように、背面が、前記第１または第２のマットの前記凹部に対応するペグを含む、請求項１に記載の武術トレーニング装置。
【請求項１４】
前記第１または第２のマットが、凹部を係合させるために前記マットの前面または打撃面にいくつかのペグを含み、前記第１および第２のマットの前記開口部以外の異なるサイズおよび／または形状の開口部を有する追加マットをさらに含み、前記追加マットが前記第１または第２のマットに取り付けられるように構成されるように、背面が、前記第１または第２のマットの前記ペグに対応する凹部を含む、請求項１に記載の武術トレーニング装置。
【請求項１５】
１以上の音を、ａ）前記ターゲットが適切に打たれる場合に第１の音を、又はｂ）前記ターゲットが適切に打たれない場合に第２の音を、発するための音機構をさらに備える、請求項１に記載の武術トレーニング装置。
【請求項１６】
１以上の光を、ａ）前記ターゲットが適切に打たれる場合に第１の光を、又はｂ）前記ターゲットが適切に打たれない場合に第２の光を、放射するための光機構をさらに備える、請求項１に記載の武術トレーニング装置。
【請求項１７】
手動でトリガされるように構成される音または光デバイスをさらに備える、請求項１に記載の武術トレーニング装置。
【請求項１８】
前記ヒンジがピアノヒンジである、請求項１に記載の武術トレーニング装置。
【請求項１９】
前記第１および第２のマットの１つに取り付けられる一対の離間したハンドルを備える、請求項１に記載の武術トレーニング装置。
【発明の詳細な説明】
【技術分野】
【０００１】
〔関連出願の相互参照〕
本出願は、参照によりその全体が本明細書に組み込まれている、２０１５年１０月１９日に出願された米国仮出願第６２／２４３，４４５号の優先権を主張するものである。
【０００２】
本発明は、武術トレーニングで用いる練習用ターゲットに関する。
【背景技術】
【０００３】
パンチ技および打撃技が普及している武術に関していくつかのスタイルがある。これらの形の武術の練習をする生徒は、武術に秀でるために必要な精度とスキルを取得するように、ターゲットを繰り返しパンチし、打たなければならない。
【０００４】
武術の生徒をトレーニングするためのさまざまなツールが存在する。たとえば、フォーカスミットは、インストラクタによって着用され、正確な精度を必要とせずに、生徒がパンチしキックするための比較的安全で大きなパッド付きの表面を提供することができる。また、武術におけるキックターゲットとして使用される吊り下げられたブランケットを開示している、Ｓｔｒｏｎｇらの米国特許第８，０２９，４２２号明細書、および空手におけるターゲットとして使用される吊り硬質シートを開示している、Ｈｏｆｆｍａｎ（ホフマン）の米国特許第５，２５４，０６２号明細書を参照されたい。
【０００５】
再度壊すことができるボードは、パンチおよび打撃を練習する生徒のための抵抗のあるターゲットを提供する。再度壊すことができるボードの利益は、それらが再利用可能であり、したがって費用対効果の高いことである。しかし、生徒が再度壊すことができるボードを不正確に打つと、強打が生徒に怪我を生じることもある。さらに、次の生徒のためにボードを再組立てするための時間が必要とされる。Ｐｅｒｒｙ（ペリー）の米国特許第４，１７３，３３６号明細書、練習用「壊すことができる」空手板およびＳｍｉｔｈの米国特許第４，１７１，８０３号明細書、武術ターゲットボードを適所に保持するための一対のクランプ、ならびにＹｏｃｕｍの米国特許第７，９４２，７９１号明細書、武術におけるターゲットに使用されるばね負荷され、接続されたボードを参照されたい。
【０００６】
Ｗｉｌｌｉａｍｓの米国特許第４，２０１，３７９号明細書は、バッグを通して延在する水平な円筒状の開口部のある垂直に向けられた円筒状の練習用バッグを開示している。偽の腕および脚が、競争相手の腕および脚を模擬するように水平な円筒状の開口部を通して延在される。
【０００７】
Ｄｏｓｃｈの米国特許第４，７５７，９９０号明細書は、キックまたはハンドターゲットとして使用される紙を強固に保持するための装置を開示している。しかし、万一武術の参加者が所期のターゲットを打ちそこなうようであるならば、ホルダーのねじ付きロッドおよびフレームが安全性の問題をもたらす。
【０００８】
Ｄａｌｅの米国特許第３，６０１，３５３号明細書は、Ｄｏｓｃｈの発明のもう１つのバージョンを開示している。Ｄａｌｅの発明は、２つの平行な支持バーの間でキックされるべき的紙を保持する。再び、安全性が関心事であり得る。
【０００９】
また、ターゲットは、他の分野においても使用される。たとえば、Ｓｕの米国特許第８，５５６，２６８号明細書は、開口部を有するバックボードと、開口部の上の的紙と、的紙の前に配置される固体ディスクとを持つ多層ターゲットを開示している。ディスクが弾丸によって打たれると、ディスクは、バックボードの開口部を通して的紙を叩く。
【００１０】
Ｗｅｓｔ，Ｊｒ．の米国特許第６，０１９，３７５号明細書は、ターゲット照準を向上させるように反射性および光捕獲性材料を持つ層を含む射撃ターゲットを開示している。
【００１１】
Ｆｒａｎｃｅの米国特許第５，１４５，１３３号明細書は、ターゲット射撃のための折り畳み可能なターゲットホルダーを開示している。ターゲットボードは、弾丸が開口部を通過するようにターゲットが配置される開口部を有する。
【００１２】
武術トレーニングのクラスで用いる使いやすく、安全で、再使用できる、費用対効果の高いターゲットの必要性が残っている。万一生徒がパンチし打撃する間にターゲットを打ちそこなうようであるならば、ターゲットは、打撃に耐え、同時に必要な柔軟性を包含しなければならず、ほとんど再組み立てを必要としてはならない。
【先行技術文献】
【特許文献】
【００１３】
【特許文献１】米国特許第８，０２９，４２２号明細書
【特許文献２】米国特許第５，２５４，０６２号明細書
【特許文献３】米国特許第４，１７３，３３６号明細書
【特許文献４】米国特許第４，１７１，８０３号明細書
【特許文献５】米国特許第７，９４２，７９１号明細書
【特許文献６】米国特許第４，２０１，３７９号明細書
【特許文献７】米国特許第４，７５７，９９０号明細書
【特許文献８】米国特許第３，６０１，３５３号明細書
【特許文献９】米国特許第８，５５６，２６８号明細書
【特許文献１０】米国特許第６，０１９，３７５号明細書
【特許文献１１】米国特許第５，１４５，１３３号明細書
【発明の概要】
【課題を解決するための手段】
【００１４】
本発明の武術トレーニング装置は、使いやすく、安全で、再使用できる、費用対効果の高い武術ターゲットである。１つの好ましい実施形態においては、ターゲットは、第１のマットが第２のマットの頂部に折り重なるように一緒にヒンジ結合される２つの正方形のフォームマットを含む。各マットは、マットが折り畳まれた位置にある場合に各マットの開口部が整列するように、マットの概ね中心にある開口部を有する。紙材料は、折り畳まれた位置においてマットの開口部が塞がれるように、第１のフォームマットと第２のフォームマットとの間に配置される。
【００１５】
マットの覆いをした孔は、武術の生徒のためのターゲットとして役立つ。使用時に、折り畳まれたマットは、インストラクタによって保持され、生徒は、握りこぶしまたは足でマットの覆いをした開口部に狙いを定め、パンチする。ターゲットが適切に打たれるならば、生徒の握りこぶしまたは足は紙を打ち、これが破れることになる。たとえ生徒が紙を打ちそこない、フォームターゲットに当てるとしても、生徒は、怪我をしないであろう。
【００１６】
照明または音機構は、生徒がマットの開口部内の紙を適切に打つならば、音または光がインストラクタによって手でトリガされ、あるいは（近接センサ４４０などの）正確なパンチまたはキックを示すようにマットに取り付けられる音または光機構よって自動的にトリガされ得るように、マットに付加され得る。
【００１７】
１つの好ましい実施形態においては、マットは、高品質、多密度フォームコアから作られる。各マットの外側パンチ面は、滑らかな滑り止めビニールで覆われる。各マットの内側面は、紙を確実に係合させるように滑り止め低密度フォームで覆われる。任意の所望の色、質感、または強度の紙のスクロールが、生徒のための新しいターゲットを迅速に生成するように折り畳まれたマットの開口部の間で紙を連続的にスクロールさせるために、マットに取り付けられ得る。
【００１８】
ここで図面を参照すると、同様の参照数字は、いくつかの図を通して対応する構造を示している。
【図面の簡単な説明】
【００１９】
【図１】的紙を装置に装填した状態の、本発明の武術トレーニング装置の１つの好ましい実施形態の斜視図である。
【図２】本発明の武術トレーニング装置の正面図である。
【図２Ａ】その閉位置における本発明の武術トレーニング装置の上面ヒンジ図である。
【図２Ｂ】その閉位置における本発明の武術トレーニング装置の側面図である。
【図２Ｃ】その閉位置における本発明の武術トレーニング装置の底面図である。
【図３】的紙を装置に装填していない状態の、本発明の武術トレーニング装置の１つの好ましい実施形態の斜視図である。
【図３Ａ】紙をトレーニング装置の１つのマットの１つの開口部の上に挿入した状態の、本発明の武術トレーニング装置の１つの好ましい実施形態の斜視図である。
【図４】生徒の握りこぶしがまさにターゲットを打とうとしている状態の閉位置における、本発明の武術トレーニング装置の１つの好ましい実施形態の斜視図である。
【図４Ａ】生徒の握りこぶしがターゲットを打っている状態の閉位置における、本発明の武術トレーニング装置の１つの好ましい実施形態の斜視図である。
【図５】破れたターゲットを示している閉位置における、本発明の武術トレーニング装置の１つの好ましい実施形態の斜視図である。
【図６】的紙を装置に装填し、装置を保持または把持するためにハンドルを背面に取り付けた状態の、本発明の武術トレーニング装置の１つの好ましい実施形態の前面斜視図である。
【図６Ａ】ハンドルと、装置の背面側の音および光を作動させるためのメカボックスとを示す閉位置における、本発明の武術トレーニング装置の背面斜視図である。
【図７】サウンドスピーカおよびライトボックスが前面にある状態の、本発明の武術トレーニング装置の１つの好ましい実施形態の斜視図である。
【図７Ａ】生徒の握りこぶしがターゲットを打ち、音をトリガし、ライトを点けている状態の閉位置における、本発明の武術トレーニング装置の１つの好ましい実施形態の斜視図である。
【図８】ラッチを、２つのマットを一緒に固定するように背面マットにタブを係合させる前面マットに取り付けた状態の開位置における、本発明の武術トレーニング装置の１つの好ましい実施形態の斜視図である。
【図８Ａ】背面マットのタブから切り離された前面マットに取り付けられたラッチを示す開位置における、本発明の武術トレーニング装置の１つの好ましい実施形態の斜視図である。
【図９】背面マットの頂部に取り付けられたロール紙と共に示される閉位置における、本発明の武術トレーニング装置の１つの好ましい実施形態の斜視図である。
【図９Ａ】マットの縁部からマットの間に供給されている紙を示すように前面マットの一部を切り取った状態の、本発明の武術トレーニング装置の１つの好ましい実施形態の斜視図である。
【図１０】追加マットが前面マットに取り付けられ得るように、追加マットの背面側に取り付けられたペグを受け入れるために前面または打撃面に孔を有するトップマットと共に示される、本発明の武術トレーニング装置の１つの好ましい実施形態の斜視図である。
【図１０Ａ】装置に固定される追加のトップマットと共に示される、本発明の武術トレーニング装置の１つの好ましい実施形態の斜視図である。
【図１１】非円形形状の開口部を有する追加マットの斜視図である。
【図１２】大きな背面マットとそれにヒンジ結合されるより小さい前面マットとを有し、光および音機構とそれに固定されるハンドルとをさらに示す、本発明の武術トレーニング装置の第２の好ましい実施形態の背面側の斜視図である。
【図１３】紙を把持するためのマットの歯と溝の配置を示す、紙を両者の間に取り付けた状態の閉位置における、マットの一部端視図である。
【図１４】ハンドルと、閉位置において前後のマットを一緒に固定するための一対の前面留め金とを示す、本発明の武術トレーニング装置の第２の好ましい実施形態の上面図である。
【図１５】本発明の武術トレーニング装置の第２の好ましい実施形態の正面図である。
【図１６】ハンドルと、側部留め金と、背面マットに対して開いた関係にある前面マットとを示す、本発明の武術トレーニング装置の第２の好ましい実施形態の側面図である。
【図１７】前面マットがその開位置にある状態の、本発明の武術トレーニング装置の第２の好ましい実施形態の斜視図である。
【図１８】前面マットが背面マットと閉じた関係にある状態の、本発明の武術トレーニング装置の第２の好ましい実施形態の前側の斜視図である。
【図１９】的紙を受け入れるように前面マットが背面マットと開いた関係にある状態の、本発明の武術トレーニング装置の第２の好ましい実施形態の前側の斜視図である。
【図２０】的紙が前面マットと背面マットとの間にどのように装填され把持されるかを示す、本発明の武術トレーニング装置の第２の好ましい実施形態の縁部の一部の斜視図である。
【発明を実施するための形態】
【００２０】
本開示の完全な理解のために、添付の特許請求の範囲を含む次の詳細な説明を上記の図面に関連して参照されたい。本開示は、例示的な実施形態と関連して説明されているが、本開示は、本明細書において記述した特定の形態に限定されることを意図するものではない。状況が示唆するかまたは好都合にすることができるにつれて均等物のさまざまな省略および置換が考えられるが、これらは、本開示の特許請求の範囲の趣旨または範囲から逸脱することなく適用または実施を包含するように意図されていることが理解される。また、本明細書において使用される表現および用語は、説明のためのものであり、限定するものと見なされるべきではないことを理解されたい。
【００２１】
本明細書において、用語「第１の（ｆｉｒｓｔ）」、「第２の（ｓｅｃｏｎｄ）」等は、任意の順序、量、または重要性を示すものではなく、むしろある要素を別の要素と区別するために使用され、本明細書における用語「１つの（ａ）」および「１つの（ａｎ）」は、量の制限を示すものではなく、むしろ参照された項目の少なくとも１つの存在を示すものである。
【００２２】
本発明の武術トレーニング装置１０は、図１に示されるように、武術トレーニングクラスで用いるための使用しやすく、安全で、再使用できる、費用対効果の高い武術ターゲットツールである。
【００２３】
第１の好ましい実施形態においては、武術トレーニング装置１０は、ヒンジ１２によって第２のマット３０にヒンジ結合される概ね正方形の形状を有するものとして示される第１のマット２０を含む。ヒンジ機構は、ねじまたは任意の他の知られているヒンジおよび取り付け手段によってマットに固定される「ピアノ」スタイルのヒンジであることができる。あるいは、第１のマット２０および第２のマット３０は、形成されたヒンジ１２に沿って折り重なるように一体に形成され得る。マットは、第１のマット２０が本のように第２のマット３０上に折り重なるように、一緒にヒンジ結合されるかまたは形成される。
【００２４】
マット２０は、開口部２２を画定し、マット３０は、開口部３２を画定し（図３を参照されたい）、各開口部は、マットの概ね中心にある。開口部２２および３２は、マットが折り畳まれた（閉じられた本）位置にある場合に整列する。
【００２５】
通常、紙製品または他の貫通可能な材料から成るターゲット４０は、折り畳まれた位置において、マット２０，３０の開口部２２および３２がそれぞれターゲット４０によって塞がれるように、マット２０とマット３０との間に配置される。（図１および図３Ａを参照されたい）。
【００２６】
１つの好ましい実施形態においては、ターゲット４０は、生徒によって適切に打たれた場合にこれが貫通され得ることを条件として、任意の所望の色、質感、または強度から成ることができる。例示として、ターゲット４０は、ロール紙、普通紙、厚紙もしくはカードストック紙、リサイクルされた事務用紙などの普通の屑紙、または費用対効果の高い使用のためのスパムメールまたは捨てられた雑誌ページでさえあってもよい。また、ターゲット４０には、生徒がターゲットを打つことに集中するのを助けるように、または単にエンターテインメントや目新しさのためにそれの上に図面または絵を有することもできる。
【００２７】
代替実施形態においては、ターゲット４０は、打たれると伸びることになるが、人体を打つ場合の応答を模倣するように壊れることにならず、または特定の打撃基準が満たされない限り壊れることにならない弾性材料で作られるかもしれない。
【００２８】
１つの好ましい実施形態においては、マットは、低密度もしくは高密度の発泡ゴムで作られ、または高品質、多密度フォームコアを有する。各マットの外側パンチ面は、マットを保護し、生徒の手または足の擦り傷を減らすことになる滑らかな、滑り止めビニール６０または同様の材料によって覆われ得る。各マットの内側面は、ターゲット４０を係合させ、これを適所に保持するための滑り止め、低密度フォーム７０によって覆われる。
【００２９】
マットの前面または打撃面は、怪我から生徒を保護し、トレーニング装置の構成要素を保護し、トレーニング装置の衝撃吸収能力を最適化し、トレーニング装置の剛性を維持するように十分に詰め物をされる。
【００３０】
図９および図９Ａに示される１つの好ましい実施形態においては、武術トレーニングツール１０は、閉位置にある場合に凹部がマット２０，３０の隣接する内部表面の間に形成されるように形成され得る。紙のスクロールは、紙が凹部を通して連続的に供給され得るようにマットのうちの１つに取り付けられる。武術トレーニング装置１０の各使用後に、紙が打撃によって破れた場合には、紙は、次の生徒を受け入れるように迅速かつ便利にスロットを通して引き続きスクロールされ得る。
【００３１】
１つの好ましい実施形態においては、生徒がマットの開口部２２，３２内のターゲット４０を適切に打つならば、音が発せられて正確なパンチまたはキックを示すように、音機構がマットのうちの１つまたは複数に取り付けられ得る。サウンドデバイスは、強打または当てそこないを一瞥するために異なる音を発するようにプログラムされ得る。小さなスピーカ１６０は、生徒に音を放出するために、１つまたは複数のマットの前面で凹所に隠され得る。さらに、スピーカは、（可逆性のために）一方または両方のマットの外面の方へ凹所に隠されるかもしれない。
【００３２】
１つの好ましい実施形態においては、生徒がマットの開口部２２，３２内のターゲット４０を適切に打つならば、光が放射されて正確なパンチまたはキックを示すことになるように、光機構１５０が、マットのうちの１つまたは複数に追加され得る。光機構は、強打または当てそこないを一瞥するために異なる光を放射するようにプログラムされ得る。さらに、ライトは、（可逆性のために）一方または両方のマットの外面の方へ凹所に隠されるかもしれない。
【００３３】
本発明の１つの好ましい実施形態においては、ハンドル８５は、ターゲットが打たれる場合にマットをしっかりと保持し把持するために背面マットに取り付けられる。
【００３４】
図８および図８Ａに示される本発明のもう１つの好ましい実施形態においては、ラッチ１１０が、マットの間に固定されるターゲットと共にマットをロックするために他方のマットを係合させるように、一方のマットに取り付けられる。通常、一方のマットは、ラッチアームを担持することになり、他方のマットは、嵌合ラッチ構成要素を担持することになる。ラッチは、ターゲットを適所に最もよく保持するように、ラッチ強度をできるだけターゲット締付位置の近くに持って来るように配置される。
【００３５】
使用時に、マット２０および３０は、生徒の前にインストラクタによって閉位置に保持され得る。（あるいは、ラッチ機構は、マットがトレーニングの目的で使用されている場合に、第１のマット２０および第２のマット３０を折り畳まれた位置にロックした状態に保つように使用され得る。）生徒は、ターゲット４０を通して握りこぶしまたは足の狙いをつけ、パンチし、それにより、ターゲット４０が壊れることになる。たとえ生徒がマットのどの部分を打つとしても、生徒は、傷付けられないことになる。いったんターゲットが壊されれば、マットは、分離され（開いているブックカバーのように）、ターゲット４０は、取り外され、新しいターゲット４０に置き換えられる。あるいは、紙スクロールが使用される場合には、紙は、新しいターゲットを広げるようにマットの間の凹部を通して引っ張られる。
【００３６】
本発明の代替実施形態においては、マットのサイズおよび形状は、所期の使用に適合するように、および使用の快適さのために変更され得る。たとえば、異なる形状のマットが、特定の用途または異なるインストラクタに対して保持することがより容易であり得る。同様に、開口部のサイズおよび形状が、異なる用途に合わせて調整され得る。握りこぶしによって打たれる場合には、開口部は、より丸みを帯びてもよく、キックのための開口部は、より長円形であってもよい。
【００３７】
開口部のサイズおよび形状を変更するための１つの方法は、追加マットの使用である。追加マット１２０は、トレーニング装置の開口部２２，３２よりも小さいサイズの開口部１４０を有する。追加マットの開口部１４０は、任意の所望の形状から成ることができる。
【００３８】
図１０および図１０Ａに示されるように、追加マット１２０は、追加マットの背面側にペグ１３０を備えている。１つの好ましい実施形態においては、ペグはねじボスである。あるいは、限定されないが、プラスチック製のねじ山形成ねじまたは結合ねじ付きインサートが、利用され得る。
【００３９】
追加マット１２０をトレーニング装置に固定するために、トレーニング装置の前面マットは、追加マットが前面マットに取り付けられ得るように、ペグ１３０を受け入れるための凹部１４０を備えている。
【００４０】
また、追加マットをトレーニング装置に固定するための他の手段が、本発明によって予想される。
【００４１】
トレーニング装置の第２の好ましい実施形態が、図１２〜図２０に示されている。図１６を参照すると、武術トレーニング装置は、概ね正方形の形状を有するものとして示される第１のまたはベースマット２２０を含む。ヒンジ２１２によってベースマット２２０にヒンジ結合されるのは、より小さい第２のマット２３０である。ヒンジ機構は、任意の知られている手段によってフォームマットに取り付けられ得る。あるいは、第１のマット２２０および第２のマット２３０は、形成されたヒンジ２１２に沿って折り畳まれるように一体に形成され得る。マットは、第１のマット２２０がブックまたはカバーのように第２のマット２３０の一部の上に折り重なるように、ヒンジ結合されるかまたは一緒に形成される。
【００４２】
マット２２０は、開口部２２２を画定し、マット２３０は、開口部２３２を画定する（図１７を参照されたい）。開口部２３２は、マット２３０の概ね中心にある。ベースマット２２０は第２のマット２３０よりも大きいので、ベースマットの開口部２２２は、中心からずれているが、図１２に示されるように第２のマット２３０が折り畳まれた（閉じられた本）位置にある場合は、開口部２２２と整列するように配置される。
【００４３】
通常、紙製品または他の貫通可能な材料から成るターゲット２４０は、閉位置においてマット２２０，２３０の開口部２２２および２３２がそれぞれターゲット２４０によって塞がれるように、マット２２０と２３０との間に配置される。（図２０を参照されたい。）
【００４４】
再び、ターゲット２４０は、任意の所望の色、質感または強度から成ってもよく、生徒がターゲットを打つことに集中するのを助けるように、または単にエンターテインメントや目新しさのためにそれの上に図面または絵を有することができる。
【００４５】
図２０に示されるように、ベースマットおよび第２マットは、マットが閉位置にある場合に隣接する内部表面を有する。一方のマットの内部表面は、少なくとも１つの歯４００を備えていることができ、他方のマットの内部表面は、第１のマット上の少なくとも１つの歯に対応する少なくとも１つの溝４１０を画定することができる。ターゲットを第１マットと第２マットとの間に配置した状態で第２マットが閉位置にある場合には、ターゲットは、これを適所に保持するように歯または複数の歯と対応する溝または複数の溝４１０との間に把持される。
【００４６】
マットのうちの１つの内部表面に画定される１対の溝４６０、または異なるタイプの「マーカー」が、ターゲットがトレーニング装置内に取り付けられるべき場所の縁部にマークを付けるように使用され得る。
【００４７】
生徒がマットの開口部２２２，２３２内のターゲット２４０を適切に打つならば、音が発せられて正確なパンチまたはキックを示すように、音機構４２０が、マットのうちの１つまたは複数に取り付けられ得る。サウンドデバイスは、強打または当てそこないを一瞥するために異なる音を発するようにプログラムされ得る。音機構は、生徒に音を放出するために、１つまたは複数のマットの前面で凹所に隠され得る。
【００４８】
１つの好ましい実施形態においては、生徒がマットの開口部２２２，２３２内のターゲット２４０を適切に打つならば、光が放射されて正確なパンチまたはキックを示すことになるように、光機構５００が、マットのうちの１つまたは複数に追加され得る。光機構は、強打または当てそこないを一瞥するために異なる光を放射するようにプログラムされ得る。
【００４９】
生徒がターゲットを打つのを助けるために、ＬＥＤライトが、たとえば図１５に示されるように頂部に沿ってなどの、トレーニング装置の前面に取り付けられ得る。これらのＬＥＤは、任意の所望の色および形状から成ることができる。
【００５０】
１つの好ましい実施形態においては、近接センサ４４０が、ターゲットに対する打撃を検出するために使用される。スピーカ、ストライクライト、ＬＥＤ、近接センサ、およびバッテリは、Ａｒｄｕｉｎｏマイクロコントローラによって制御される。１つの好ましい実施形態においては、リチウムポリマー（ＬｉＰｏ）バッテリ（図示せず）が、音および照明機構に電力を供給する。リード線が、マイクロコントローラ４３０からスピーカ、ＬＥＤ５００、バッテリおよび近接センサ４４０まで延びる。近接センサ４４０は、図１５に示されるようにハウジングの中へ凹所に隠され得る。近接センサは、ターゲットの０〜２０ｃｍ以内の打撃を感知するために理想的に較正されるが、他の範囲も可能である。
【００５１】
もう１つの好ましい実施形態においては、「失敗」ボタン４５０が、ハンドルの近くに追加され得る。生徒がターゲットを正しく打たない場合、トレーニング装置を保持しているインストラクタは、フェールライト（理想的には赤色であるが、他の色も可能である）および失敗した打撃を示す音を伝えるように失敗ボタンを押すことができる。
【００５２】
ハンドル２８５は、ターゲットが打たれたる場合にマットをしっかりと保持し把持するために背面マットに取り付けられる。
【００５３】
ラッチ３１０は、一方のマットに取り付けられて、マットの間に固定されるターゲットと一緒にマットをロックするために他方のマット上に担持される取付バーを係合させる。ラッチは、ヒンジ側を除いて、トレーニング装置の片面またはあらゆる側面に取り付けられ得る。
【００５４】
使用時に、ターゲット２４０は、マット２２０の開口部２２２上に配置され、マット２３０は、閉位置まで回転され、ラッチ３１０によって適所にロックされ、インストラクタは、生徒の前にハンドル２８５によってトレーニング装置を保持する。生徒は、ターゲット２４０を通して握りこぶしまたは足の狙いをつけ、パンチし、それにより、ターゲット２４０が壊れることになる。たとえ生徒がマットのどの部分を打つとしても、生徒は、傷付けられないことになる。いったんターゲットが壊れるならば、マット２３０は、アンラッチされ、開位置に回転され、弱ったまたは壊されたターゲット２４０は、新しいターゲットと置き換えられる。
【００５５】
第１の実施形態と同様に、第２の実施形態は、追加マットを受け入れるようにペグ３３０を備えている。
【図１】
0006636145.tif 000002
【図２】
0006636145.tif 000003
【図２Ａ】
0006636145.tif 000004
【図２Ｂ】
0006636145.tif 000005
【図２Ｃ】
0006636145.tif 000006
【図３】
0006636145.tif 000007
【図３Ａ】
0006636145.tif 000008
【図４】
0006636145.tif 000009
【図４Ａ】
0006636145.tif 000010
【図５】
0006636145.tif 000011
【図６】
0006636145.tif 000012
【図６Ａ】
0006636145.tif 000013
【図７】
0006636145.tif 000014
【図７Ａ】
0006636145.tif 000015
【図８】
0006636145.tif 000016
【図８Ａ】
0006636145.tif 000017
【図９】
0006636145.tif 000018
【図９Ａ】
0006636145.tif 000019
【図１０】
0006636145.tif 000020
【図１０Ａ】
0006636145.tif 000021
【図１１】
0006636145.tif 000022
【図１２】
0006636145.tif 000023
【図１３】
0006636145.tif 000024
【図１４】
0006636145.tif 000025
【図１５】
0006636145.tif 000026
【図１６】
0006636145.tif 000027
【図１７】
0006636145.tif 000028
【図１８】
0006636145.tif 000029
【図１９】
0006636145.tif 000030
【図２０】
0006636145.tif 000031